(57)【要約】【課題】複数のバルブを有するランプを照明器具のソケットに対し回動させて安全且つ確実に着脱させることのできるランプ着脱操作具を提供する。【解決手段】一つの口金体１に複数のバルブ２を突設してなるランプ３を、ソケット４に対し同口金体１を回動させて着脱させる照明器具Ｌ用のランプ着脱操作具Ａであり、複数のバルブ２をまとめてその外側を包持するバルブ保持部５を備え、このバルブ保持部５を回動操作することで、ソケット４に対し口金体１が複数のバルブ２と共に回動されて、同ソケット４に対しランプを着脱させるものであって、バルブ保持部５の周囲壁先端部分の内外厚さ方向の寸法ａを隣接する両バルブ２間の間隔寸法ｂよりも大きく形成してなる。【選択図】          図１
2004356058.tif 000002
【特許請求の範囲】
【請求項１】
一つの口金体に複数のバルブを突設してなるランプを、ソケットに対し同口金体を回動させて着脱させる照明器具用のランプ着脱操作具であり、複数のバルブをまとめてその外側を包持するバルブ保持部を備え、このバルブ保持部を回動操作することで、ソケットに対し口金体が複数のバルブと共に回動されて、同ソケットに対しランプを着脱させるものであって、バルブ保持部の周囲壁先端部分の内外厚さ方向の寸法を隣接する両バルブ間の間隔寸法よりも大きく形成してなるランプ着脱操作具。
【請求項２】
各バルブが略Ｕ字状に屈曲した管であり、複数の同バルブはそのまとめた全体としての外周形状が多角形状となるよう口金体に配置突設されたものであって、バルブ保持部の周囲壁部分を各バルブの外側に当接される複数の当接片で形成し、各当接片は同バルブ保持部の基端部分から突設されてその先端側が内外方向に弾性変形されるものであり、各当接片の先端部分の内外厚さ方向の寸法を隣接する両バルブ間の間隔寸法よりも大きく形成したことを特徴とする請求項１記載のランプ着脱操作具。
【請求項３】
各当接片の先端部分に外方へ折曲した傾斜片部を設けることで、同先端部分の内外厚さ方向の寸法を隣接する両バルブ間の間隔寸法よりも大きく形成したことを特徴とする請求項２記載のランプ着脱操作具。
【請求項４】
各当接片の先端部分の外面側に凸起部を突設することで、同先端部分の内外厚さ方向の寸法を隣接する両バルブ間の間隔寸法よりも大きく形成したことを特徴とする請求項２記載のランプ着脱操作具。
【請求項５】
バルブ保持部の周囲壁部分で包囲される略中央位置に同バルブ保持部の基端部分からガイド棒を突設して、口金体に配置突設される複数のバルブ間の略中央スペースに同ガイド棒が挿入係合されるようになしたことを特徴とする請求項２〜４のいずれか一つに記載のランプ着脱操作具。
【請求項６】
ガイド棒の先端を各当接片の先端よりも長く突出させたことを特徴とする請求項５記載のランプ着脱操作具。
【発明の詳細な説明】
【０００１】
【発明の属する技術分野】
本願発明は、ソケットに対しランプを回動させて着脱させる照明器具用のランプ着脱操作具に関するものである。
【０００２】
【従来の技術】
従来から、実開平６−６０９６１号公報、実開平８−１２１９号公報等に示される如く、ソケットに対しランプを回動させて着脱させる照明器具用のランプ着脱操作具は知られている。これ等に示されるランプ着脱操作具は、いずれも、一つの口金体に一つのバルブを突設してなるランプを着脱させるものであり、このランプ着脱操作具を用いることで、高所に設置された照明器具であってもそのランプ交換作業を安全且つ容易に行うことができる。
【０００３】
ところで、最近、一つの口金体に複数のバルブを突設してなるランプが採用されるようになってきており、このような場合でも、上記のようなランプ着脱操作具を用いることができる。この場合、図１２に示す如く、ランプ３が一つの口金体１に複数のバルブ２を突設してなるもので、このランプ３を照明器具Ｌのソケット４に対し同口金体１を回動させて着脱させるランプ着脱操作具Ｂとなる。そして、このランプ着脱操作具Ｂは、複数のバルブ２をまとめてその外側を包持するバルブ保持部５を備え、このバルブ保持部５を回動操作することで、ソケット４に対し口金体１が複数のバルブ２と共に回動されて、同ソケット４に対しランプ３を着脱させるものである。
【０００４】
又、このランプ着脱操作具Ｂでは、各バルブ２が略Ｕ字状に屈曲したガラス管であり、複数の同バルブ２はそのまとめた全体としての外周形状が多角形状となるよう口金体１に配置突設されたものである。又、バルブ保持部５の周囲壁部分を各バルブ２の外側に当接される複数の当接片６で形成し、各当接片６は同バルブ保持部５の基端部分５ａから突設されてその先端側が内外方向に弾性変形されるものである。又、バルブ保持部５は操作棒１３の先端に設けられており、この操作棒１３を持ってこれと一体的に回動操作されるものである。
【０００５】
そして、図１２（ａ）に示す如く、操作棒１３を持ってその先端に設けられるバルブ保持部５を、ランプ３の複数のバルブ２の外側に下方から差し込むようにして包持させ、図１２（ｂ）に示す如く、同操作棒１３と共に同バルブ保持部５でもってランプ３を回動させ、このランプ３をソケット４に対し着脱させるものである。この場合、図１２（ｃ）に示す如く、バルブ保持部５の各当接片６はランプ３の各バルブ２の外側に弾性的に当接され、各バルブ２が破損しないようにして同ランプ３を回動させ着脱させることができる。
【０００６】
【特許文献１】
実開平６−６０９６１号公報
【０００７】
【特許文献２】
実開平８−１２１９号公報
【０００８】
【発明が解決しようとする課題】
しかしながら、一つの口金体１に複数のバルブ２を突設してなるランプ３である場合、このランプ３の複数のバルブ２の外側にランプ着脱操作具Ｂのバルブ保持部５を差し込むようにして包持させる際に、このバルブ保持部５のいずれかの当接片６の先端部分が誤って隣接する両バルブ２間の隙間に入り込んでしまうことがある。そのため、バルブ保持部５を複数のバルブ２をまとめた全体の外側に包持させ難く、又、バルブ２を破損させてしまうこともあった。
【０００９】
すなわち、図１３に示す如く、バルブ２が略Ｕ字状に屈曲したガラス管である場合、例えば、隣接する両バルブ２はその基端付近でブリッジ部１０により結合されており、図１４に示す如く、バルブ２が直管形状のガラス管である場合、例えば、隣接する両バルブ２はその先端付近でブリッジ部１０により結合されているとすると、いずれの場合にあっても、図１３（ｂ）、図１４（ｂ）に示す如く、いずれかの当接片６の先端部分が誤って隣接する両バルブ２間の隙間に入り込んでしまうことがあり、これに気付かず操作者がバルブ保持部５を更に差し込むようにして強く押し込むと、同当接片６の先端がブリッジ部１０に衝突してこれに伴いバルブ２までもが破損してしまうことがあった。
【００１０】
本願発明は、上記従来の技術に鑑みて発明されたものであり、その課題は、一つの口金体に複数のバルブが突設されたランプを、ソケットに対し回動させて安全且つ確実に着脱させることのできる照明器具用のランプ着脱操作具を提供することである。
【００１１】
【課題を解決するための手段】
上記課題を解決するために、本願発明は、一つの口金体に複数のバルブを突設してなるランプを、ソケットに対し同口金体を回動させて着脱させる照明器具用のランプ着脱操作具であり、複数のバルブをまとめてその外側を包持するバルブ保持部を備え、このバルブ保持部を回動操作することで、ソケットに対し口金体が複数のバルブと共に回動されて、同ソケットに対しランプを着脱させるものであって、バルブ保持部の周囲壁先端部分の内外厚さ方向の寸法を隣接する両バルブ間の間隔寸法よりも大きく形成してなるものである。
【００１２】
したがって、この場合、バルブ保持部をランプの複数のバルブの外側に差し込むようにして包持させる際、同バルブ保持部の周囲壁先端部分の内外厚さ方向の寸法が隣接する両バルブ間の間隔寸法よりも大きく形成されているため、この隣接する両バルブ間の隙間に同バルブ保持部の周囲壁先端部分が入り込むことはなく、このバルブ保持部を複数のバルブの外側に間違いなく確実に包持させることができ、不適切で無理な押し込みによるバルブの破損も防止される。
【００１３】
【発明の実施の形態】
図１〜４は、本願の請求項１〜３に対応した第一の実施形態であるランプ着脱操作具Ａを示している。この実施形態のランプ着脱操作具Ａは、図１、２に示す如く、一つの口金体１に複数のバルブ２を突設してなるランプ３を、照明器具Ｌのソケット４に対し同口金体１を回動させて着脱させるランプ着脱操作具Ａである。この場合に、複数のバルブ２をまとめてその外側を包持するバルブ保持部５を備え、このバルブ保持部５を回動操作することで、ソケット４に対し口金体１が複数のバルブ２と共に回動されて、同ソケット４に対しランプ３を着脱させるものである。そして、図１（ｃ）、３に示す如く、バルブ保持部５の周囲壁先端部分の内外厚さ方向の寸法ａを隣接する両バルブ２間の間隔寸法ｂよりも大きく形成してなるものである。
【００１４】
又、この実施形態のランプ着脱操作具Ａでは、各バルブ２が略Ｕ字状に屈曲した管であり、複数の同バルブ２はそのまとめた全体としての外周形状が多角形状となるよう口金体１に配置突設されたものであって、バルブ保持部５の周囲壁部分を各バルブ２の外側に当接される複数の当接片６で形成し、各当接片６は同バルブ保持部５の基端部分５ａから突設されてその先端側が内外方向に弾性変形されるものであり、各当接片６の先端部分の内外厚さ方向の寸法ａを隣接する両バルブ２間の間隔寸法ｂよりも大きく形成している。この場合、各当接片６の先端部分に外方へ折曲した傾斜片部７を設けることで、同先端部分の内外厚さ方向の寸法ａを隣接する両バルブ２間の間隔寸法ｂよりも大きく形成している。
【００１５】
以下、この実施形態のランプ着脱操作具Ａを、より具体的詳細に説明する。まず、照明器具Ｌ側の関連する構成について説明する。照明器具Ｌにはソケット４が設けられており、このソケット４が下方を向くようにして同照明器具Ｌは天井等の高所に設置施工されている。図２に示す如く、ランプ３の口金体１はソケット４に下方から挿入係合され、この係合状態で回動操作されて抜け外れないように装着されるものである。
【００１６】
この場合、口金体１を回動操作することで、この口金体１の側面に突設された凸片１１がソケット４の内部に係止され、これにより、このソケット４に対し同口金体１は抜け外れないように装着される。その際、口金体１に突設された複数の端子１２がソケット４に接続されて、このソケット４とランプ３とは電気的にも接続される。又、口金体１を前記とは逆方向に回動操作することで、この口金体１がソケット４から抜き外され、ランプ３を同ソケット４から取り外すことができる。このような回動操作でランプ３をソケット４に対し着脱させて、同ランプ３の交換作業が行われる。
【００１７】
ランプ３は、図１に示す如く、一つの口金体１に対し三つのバルブ２を突設してなる。各バルブ２は蛍光灯で略Ｕ字状に屈曲したガラス管でなり、略Ｕ字の両端部分が口金体１に接続固定されて突設されている。図１（ｃ）に示す如く、各バルブ２は平面視で正三角形の各辺に沿うような配置で口金体１から突設されており、隣接する両バルブ２間では、図１（ａ）（ｂ）に示す如く、各バルブ２の先端付近部分がブリッジ部１０により結合され、相互に離反して振れ動かないように補強されている。
【００１８】
次に、ランプ着脱操作具Ａの構成について説明する。ランプ着脱操作具Ａは操作棒１３とバルブ保持部５とで構成され、操作棒１３が高所となる照明器具Ｌに届く程度の適宜の長さに形成され、バルブ保持部５は同操作棒１３の先端に付設一体化されている。バルブ保持部５は合成樹脂、金属等で一体に形成され、基端部分５ａとこの基端部分５ａに突設される略筒状の周囲壁部分とで構成されており、同基端部分５ａが操作棒１３の先端に固定されている。
【００１９】
そして、バルブ保持部５の周囲壁部分が三つの当接片６に分割して形成されており、各当接片６は同バルブ保持部５の基端部分５ａから突設されてその先端側が内外方向に弾性変形され、図１（ｃ）に示す如く、前記各バルブ２に対応してその外側に弾性的に当接されるものである。この場合、図３に示す如く、各当接片６の先端部分には外方へ折曲した傾斜片部７が設けられており、この傾斜片部７の部分における内外厚さ方向の寸法ａを前記隣接する両バルブ２間の間隔寸法ｂよりも大きく形成している。
【００２０】
又、バルブ保持部５の各当接片６の傾斜片部７とランプ３の各バルブ２との相互位置関係については、図４に示す如く、傾斜片部７がバルブ２の外側にスムーズに当接されるように設定されている。すなわち、図４（ａ）に示す如く、各傾斜片部７の先端縁に接する仮想円αを想定し、図４（ｂ）に示す如く、各バルブ２を内接させる仮想円βを想定し、図４（ｃ）に示す如く、仮想円αが仮想円βよりも大径となるように、同傾斜片部７の傾斜によるその先端側の広がり具合いを設定している。そのため、バルブ保持部５をランプ３の複数のバルブ２の外側に差し込むようにして包持させる際、各傾斜片部７の先端が各バルブ２の先端部分に突っかかることなくスムーズに摺接されて包持させ易いものである。
【００２１】
したがって、この実施形態のランプ着脱操作具Ａにおいては、ランプ３を装着したり交換したりするため、図２に示す如く、このランプ３をソケット４に対して着脱する場合に、図１に示す如く、バルブ保持部５を同ランプ３の複数のバルブ２の外側に差し込むようにして包持させる際、同バルブ保持部５の周囲壁先端部分の内外厚さ方向の寸法ａが隣接する両バルブ２間の間隔寸法ｂよりも大きく形成されていて、図３（ｂ）に示す如く、この隣接する両バルブ２間の隙間に同バルブ保持部５の周囲壁先端部分が入り込むことはなく、このバルブ保持部５を複数のバルブ２の外側に間違いなく確実に包持させることができ、従来のような不適切で無理な押し込みによるバルブ２の破損も防止される。
【００２２】
又、この場合、操作棒１３を手で持ってバルブ保持部５を回動操作することができるので、高所にある照明器具Ｌであっても、そのランプ３の装着や交換作業を容易且つ安全に行うことができる。しかも、各バルブ２が略Ｕ字状に屈曲した管であり、複数の同バルブ２はそのまとめた全体としての外周形状が多角形状となるよう口金体１に配置突設されたものであって、バルブ保持部５の周囲壁部分が各バルブ２の外側に当接される複数の当接片６で形成されるため、この各当接片６は各バルブ２に対応してその外側に各々が当接され、同バルブ保持部５は空回りすることなくランプ３を確実に回動させるものである。
【００２３】
しかも、この場合、各当接片６はバルブ保持部５の基端部分５ａから突設されてその先端側が内外方向に弾性変形されるものであるため、各当接片６は各バルブ２の外側に弾性的に当接し、同バルブ保持部５のランプ３に対する着脱がスムーズとなって、各バルブ２はより破損し難くなる。又、ここでは、各当接片６の先端部分が隣接する両バルブ２間の隙間に入り込むことのないよう、同各当接片６の先端部分の内外厚さ方向の寸法ａは隣接する両バルブ２間の間隔寸法ｂよりも大きく形成されている。
【００２４】
更に、この場合、各当接片６の先端部分に外方へ折曲した傾斜片部７を設けることによって、同先端部分の内外厚さ方向の寸法ａを隣接する両バルブ２間の間隔寸法ｂよりも大きく形成しているので、バルブ保持部５をランプ３の複数のバルブ２の外側に差し込むようにして包持させる際、同傾斜片部７が各バルブ２の外側に摺接してガイドされ、よりスムーズに包持させることができる。又、万一誤って当接片６の先端部分が隣接する両バルブ２間の隙間に入り込むようなことがあっても、同先端部分の傾斜片部７は弾性変形し得るため、バルブ２を破損させてしまうことがない。
【００２５】
図５、６は、本願の請求項１、２、４に対応した第二の実施形態であるランプ着脱操作具Ａを示している。この実施形態のランプ着脱操作具Ａでは、各当接片６の先端部分の外面側に凸起部８を突設することで、同先端部分の内外厚さ方向の寸法ａを隣接する両バルブ２間の間隔寸法ｂよりも大きく形成している。この場合、バルブ保持部５が合成樹脂で一体成形されたものであり、凸起部８は各当接片６の先端部分の外面側に一体に形成され、同当接片６の巾寸法に合致する大きさの略矩形状凸起として突設されている。なお、凸起部８は当接片６の先端部分の外面に取着して突設されてもよい。
【００２６】
したがって、この実施形態のランプ着脱操作具Ａにおいては、各当接片６の先端部分の外面側に凸起部８を突設することで、この先端部分の内外厚さ方向の寸法ａを隣接する両バルブ２間の間隔寸法ｂよりも大きく形成しているため、同凸起部８が厚み方向に圧縮変形され難くて、同先端部分は隣接する両バルブ２間の隙間により入り込み難くなり、複数の同当接片６でなるバルブ保持部５を複数のバルブ２の外側に間違いなくより確実に包持させることができる。なお、それ以外は、上記第一の実施形態と同様に構成されており、上記第一の実施形態におけると同様の作用効果が奏される。
【００２７】
図７、８は、本願の請求項１、２、４に対応した第三の実施形態であるランプ着脱操作具Ａを示している。この実施形態のランプ着脱操作具Ａでは、当接片６の先端部分に突設される凸起部８の外面側に溝状凹所１４が形成されている。この場合、溝状凹所１４は凸起部８に複数並設されており、各溝状凹所１４の溝巾寸法ｃがバルブ２の内外厚さ方向のバルブ管径寸法ｄよりも小さく形成されている。
【００２８】
したがって、この実施形態のランプ着脱操作具Ａにおいては、凸起部８を突設するに際し、溝状凹所１４の分だけ材料が削減されて軽量化も図られ、同溝状凹所１４内にはバルブ２が入り込むこともないため、複数の当接片６でなるバルブ保持部５を複数のバルブ２の外側に支障なくより確実に包持させることができる。なお、それ以外は、上記第二の実施形態と同様に構成されており、上記第二の実施形態におけると同様の作用効果が奏される。
【００２９】
図９、１０は、本願の請求項１〜３、５、６に対応した第四の実施形態であるランプ着脱操作具Ａを示している。この実施形態のランプ着脱操作具Ａでは、バルブ保持部５の周囲壁部分で包囲される略中央位置に同バルブ保持部５の基端部分５ａからガイド棒９を突設して、口金体１に配置突設される複数のバルブ２間の略中央スペースｓに同ガイド棒９が挿入係合されるようになし、このガイド棒９の先端を各当接片６の先端よりも長く突出させている（ｅ＞ｆ）。この場合、ガイド棒９はバルブ保持部５の基端部分５ａの中央から一体に突設されており、その断面形状が円形で複数のバルブ２間の略中央スペースｓ内に納まる大きさに形成されている。
【００３０】
したがって、この実施形態のランプ着脱操作具Ａにおいては、バルブ保持部５をランプ３の複数のバルブ２の外側に差し込むようにして包持させる際に、複数のバルブ２間の略中央スペースｓにガイド棒９が挿入係合されるため、同バルブ保持部５とランプ３とは相互に中央位置決めされ、同ガイド棒９によって差し込みガイドされて、より確実且つスムーズに包持させることができる。しかも、この場合、ガイド棒９の先端が各当接片６の先端よりも長く突出していて、同ガイド棒９は各当接片６よりも先に各バルブ２の位置へと到達し、各当接片６と各バルブ２との干渉のない前段階で、同ガイド棒９により前記中央位置決め及び差し込みガイドが行われ、包持させる際の安全性により優れたものとなる。なお、それ以外は、上記第一の実施形態と同様に構成されており、上記第一の実施形態におけると同様の作用効果が奏される。
【００３１】
図１１は、本願の請求項１〜３、５、６に対応した第五の実施形態であるランプ着脱操作具Ａを示している。この実施形態のランプ着脱操作具Ａでも、バルブ保持部５の周囲壁部分で包囲される略中央位置に同バルブ保持部５の基端部分５ａからガイド棒９を突設して、口金体１に配置突設される複数のバルブ２間の略中央スペースｓに同ガイド棒９が挿入係合されるようになし、このガイド棒９の先端を各当接片６の先端よりも長く突出させている（ｅ＞ｆ）。この場合も、ガイド棒９はバルブ保持部５の基端部分５ａの中央から一体に突設されており、その断面形状が円形で複数のバルブ２間の略中央スペースｓ内に納まる大きさに形成されている。
【００３２】
したがって、この実施形態のランプ着脱操作具Ａにおいても、バルブ保持部５をランプ３の複数のバルブ２の外側に差し込むようにして包持させる際に、複数のバルブ２間の略中央スペースｓにガイド棒９が挿入係合されるため、同バルブ保持部５とランプ３とは相互に中央位置決めされ、同ガイド棒９によって差し込みガイドされて、より確実且つスムーズに包持させることができる。しかも、この場合、ガイド棒９の先端が各当接片６の先端よりも長く突出していて、同ガイド棒９は各当接片６よりも先に各バルブ２の位置へと到達し、各当接片６と各バルブ２との干渉のない前段階で、同ガイド棒９により前記中央位置決め及び差し込みガイドが行われ、包持させる際の安全性により優れたものとなる。なお、それ以外は、上記第二の実施形態と同様に構成されており、上記第二の実施形態におけると同様の作用効果が奏される。
【００３３】
【発明の効果】
上述の如く、本願発明のランプ着脱操作具においては、バルブ保持部をランプの複数のバルブの外側に差し込むようにして包持させる際に、隣接する両バルブ間の隙間に同バルブ保持部の周囲壁先端部分が入り込むことはなく、このバルブ保持部を複数のバルブの外側に間違いなく確実に包持させることができ、不適切で無理な押し込みによるバルブの破損も防止される。
【図面の簡単な説明】
【図１】本願発明の第一の実施形態であるランプ着脱操作具Ａを用いてランプを着脱操作する状態を示し、（ａ）は包持させようとしている状態での斜視図、（ｂ）は包持させて回動操作している状態での斜視図、（ｃ）は包持状態での概略平面図である。
【図２】同ランプの着脱操作状態を示し、（ａ）は着脱状態での側面図、（ｂ）は回動操作状態での側面図である。
【図３】同ランプ着脱操作具Ａの（ａ）は要部を拡大して示す側面図、（ｂ）は同要部の配置形態とバルブの配置形態との関係を示す概略平面図である。
【図４】（ａ）は同ランプ着脱操作具Ａの要部の配置形態を示す概略平面図、（ｂ）はバルブの配置形態を示す概略平面図、（ｃ）は同要部の配置形態とバルブの配置形態との関係を示す概略平面図である。
【図５】本願発明の第二の実施形態であるランプ着脱操作具Ａを示す斜視図である。
【図６】同ランプ着脱操作具Ａの（ａ）は要部を拡大して示す側面図、（ｂ）は同要部の配置形態とバルブの配置形態との関係を示す概略平面図である。
【図７】本願発明の第三の実施形態であるランプ着脱操作具Ａを示す斜視図である。
【図８】同ランプ着脱操作具Ａの（ａ）は要部を拡大して示す平面図、（ｂ）は同要部の配置形態とバルブの配置形態との関係を示す概略平面図である。
【図９】本願発明の第四の実施形態であるランプ着脱操作具Ａを示す斜視図である。
【図１０】（ａ）は同ランプ着脱操作具Ａの要部におけるランプ包持状態を示す概略平面図、（ｂ）は同ランプのバルブとガイド棒との関係を示す概略平面図である。
【図１１】本願発明の第五の実施形態であるランプ着脱操作具Ａを示す斜視図である。
【図１２】従来例であるランプ着脱操作具Ｂを用いてランプを着脱操作する状態を示し、（ａ）は包持させようとしている状態での斜視図、（ｂ）は包持させて回動操作している状態での斜視図、（ｃ）は包持状態での概略平面図である。
【図１３】同ランプ着脱操作具Ｂを用いて別のランプを着脱操作する状態を示し、（ａ）は包持させようとしている状態での斜視図、（ｂ）は同ランプ着脱操作具Ｂの要部とバルブとの関係を示す概略平面図である。
【図１４】同ランプ着脱操作具Ｂを用いて別のランプを着脱操作する状態を示し、（ａ）は包持させようとしている状態での斜視図、（ｂ）は同ランプ着脱操作具Ｂの要部とバルブとの関係を示す概略平面図である。
【符号の説明】
１  口金体
２  バルブ
３  ランプ
４  ソケット
５  バルブ保持部
５ａ  基端部分
６  当接片
７  傾斜片部
８  凸起部
９  ガイド棒
Ａ  ランプ着脱操作具
ａ  内外厚さ方向の寸法
ｂ  間隔寸法
【図１】
2004356058.tif 000003
【図２】
2004356058.tif 000004
【図３】
2004356058.tif 000005
【図４】
2004356058.tif 000006
【図５】
2004356058.tif 000007
【図６】
2004356058.tif 000008
【図７】
2004356058.tif 000009
【図８】
2004356058.tif 000010
【図９】
2004356058.tif 000011
【図１０】
2004356058.tif 000012
【図１１】
2004356058.tif 000013
【図１２】
2004356058.tif 000014
【図１３】
2004356058.tif 000015
【図１４】
2004356058.tif 000016